(57)【特許請求の範囲】
【請求項１】
建造物の基礎とその上に載置される土台との間に介在する土台用スペーサとして、特定方向に延びて、前記基礎の上に載置される下面と前記土台が載置される上面とを有する本体部を備え、この本体部には、前記下面と略平行な平面上で前記特定方向と直交する幅方向と略平行な方向に当該本体部を貫通する複数の通気路が前記特定方向に並んで設けられているとともに、前記本体部における前記幅方向の端面の外側の少なくとも一方であって、前記端面の下端部には、前記特定方向に延びて、前記本体部の下面と略同一平面上に位置する下面を有する堰部が連設され、前記堰部に、前記幅方向に延びる切断溝が前記特定方向に沿って所定ピッチで形成されている土台用スペーサを用いた基礎の施工方法において、
建造物の基礎であって外側面がモルタル仕上げされる基礎の上に、２つの土台用スペーサを、一方の土台用スペーサの前記特定方向における片方の端面が、もう一方の土台用スペーサの前記堰部の一部分であって前記切断溝を切断して前記堰部が取り除かれた部分における前記幅方向の本体部に当接されて平面視でＬ字状またはＴ字状に配置し、かつ、当該土台用スペーサの堰部の下面が前記基礎の外側面よりも外側に張り出すように配設する工程と、
前記基礎の外側面における前記土台用スペーサの堰部の下面に臨む領域にモルタルを塗布する工程とを含むことを特徴とする基礎の施工方法。
【請求項２】
前記モルタルを塗布する工程では、前記堰部の下面が前記基礎の外側面から張り出す張り出し量よりも小さな厚みでモルタルを塗布することを特徴とする請求項１に記載の基礎の施工方法。

【発明の詳細な説明】
【技術分野】
【０００１】
本発明は、建造物の基礎とその上に載置される土台との間に介在する土台用スペーサを用いた基礎の施工方法に関するものである。
【背景技術】
【０００２】
従来、建造物の基礎と土台との間に建造物の床下を換気するための通気路を確保する構成として、それらの間に介在する土台用スペーサに床下換気用の通気路を設けることが知られている。
【０００３】
例えば特許文献１には、上記のような土台用スペーサとして、床下換気用の通気路として幅方向に貫通する貫通孔を等間隔で設けたものが開示されている。
【０００４】
また、同文献には、同じく土台用スペーサとして、上記貫通孔の代わりに土台用スペーサの下面に幅方向に延びる溝を等間隔で形成し、その溝同士の間に介在する隔壁部の下面を基礎上に載置することにより、この基礎上に上記溝からなる通気路が形成されるようにしたものも開示されている。
【特許文献１】実開昭５７−１７２８１０号
【発明の開示】
【発明が解決しようとする課題】
【０００５】
前記建造物においては、外観を良くするために前記基礎の外側面がモルタル仕上げされることがある。前記のような土台用スペーサが載置された基礎の外側面をモルタル仕上げする場合には、モルタルによって通気路が塞がれないように塗布しなければならない。
【０００６】
しかしながら、建造物の外壁の下端部に設けられる水切り板等が邪魔になって、前記基礎の上端部が外側から目視できない場合には、モルタルを正確に基礎の外側面にのみ塗布することは難しく、モルタルが基礎から上方にはみ出すことがある。そして、このようにモルタルがはみ出した場合には、当該モルタルによって土台用スペーサの通気路の一部が塞がれてしまい、その分だけ通気路による床下の換気機能が低下することになる。
【０００７】
本発明は、このような事情に鑑み、基礎の外側面がモルタル仕上げされる場合でもモルタルによって通気路が塞がれるのを防止することができる土台用スペーサを用いた基礎の施工方法を提供することを目的とする。
【課題を解決するための手段】
【０００８】
請求項１に係る発明は、建造物の基礎とその上に載置される土台との間に介在する土台用スペーサとして、特定方向に延びて、前記基礎の上に載置される下面と前記土台が載置される上面とを有する本体部を備え、この本体部には、前記下面と略平行な平面上で前記特定方向と直交する幅方向と略平行な方向に当該本体部を貫通する複数の通気路が前記特定方向に並んで設けられているとともに、前記本体部における前記幅方向の端面の外側の少なくとも一方であって、前記端面の下端部には、前記特定方向に延びて、前記本体部の下面と略同一平面上に位置する下面を有する堰部が連設され、前記堰部に、前記幅方向に延びる切断溝が前記特定方向に沿って所定ピッチで形成されている土台用スペーサを用いた基礎の施工方法において、建造物の基礎であって外側面がモルタル仕上げされる基礎の上に、２つの土台用スペーサを、一方の土台用スペーサの前記特定方向における片方の端面が、もう一方の土台用スペーサの前記堰部の一部分であって前記切断溝を切断して前記堰部が取り除かれた部分における前記幅方向の本体部に当接されて平面視でＬ字状またはＴ字状に配置し、かつ、当該土台用スペーサの堰部の下面が前記基礎の外側面よりも外側に張り出すように配設する工程と、前記基礎の外側面における前記土台用スペーサの堰部の下面に臨む領域にモルタルを塗布する工程とを含むことを特徴とする。
【０００９】
この構成によれば、土台用スペーサを堰部の下面が基礎の外側面よりも外側に張り出すように基礎の上に配設しているので、基礎の外側面をモルタル仕上げする際に、モルタルが基礎から上方にはみ出すことを堰部の下面によって防止することができ、これにより土台用スペーサの本体部に設けられた通気路がモルタルで塞がれるのを防ぐことができる。また、この構成によれば、例えば２つの土台用スペーサを平面視でＬ字状またはＴ字状に配置する場合に、堰部の一部分を所定の切断溝に沿って切断することで簡単に取り除くことができ、これにより双方の土台用スペーサの本体部同士を容易に当接させることができる。
【００１０】
請求項２に係る発明は、請求項１に記載の基礎の施工方法において、前記モルタルを塗布する工程では、前記堰部の下面が前記基礎の外側面から張り出す張り出し量よりも小さな厚みでモルタルを塗布することを特徴とするものである。
【００１１】
この構成によれば、堰部の下面が基礎の外側面から外側に張り出す張り出し量よりも小さな厚みでモルタルを塗布するようにしているので、モルタルを塗布する際には、堰部の下面にコテを当てながら当該下面に沿ってコテを動かすことができるため、モルタル仕上げの作業性を向上させることができる。
【発明の効果】
【００１２】
以上のように、本発明によれば、基礎の外側面をモルタル仕上げする際に、この基礎上に配設される土台用スペーサの本体部に設けられた通気路がモルタルで塞がれるのを防ぐことができる。また、本発明によれば、例えば２つの土台用スペーサを平面視でＬ字状またはＴ字状に配置する場合に、堰部の一部分を所定の切断溝に沿って切断することで簡単に取り除くことができ、これにより双方の土台用スペーサの本体部同士を容易に当接させることができる。
【発明を実施するための最良の形態】
【００１３】
以下、本発明を実施するための最良の形態について、図面を参照しながら詳細に説明する。
【００１４】
図１（ａ）及び（ｂ）に示すように、本発明の基本構成の土台用スペーサ１Ａは、合成樹脂で一体に成形されたものであり、全体として長方形板状の本体部１１と、この本体部１１の長手方向と直交する幅方向の両側に設けられた堰部１８とを備えている。
【００１５】
前記本体部１１は、互いに略平行な下面１１ａと上面１１ｂとを有しており、図２に示すように、下面１１ａが建造物の基礎２の上に載置され、上面１１ｂの上に土台３が載置されるようになっている。
【００１６】
前記本体部１１は、具体的には、長方形板状の天板１４と、この天板１４の下面から垂れ下がる複数の隔壁１２とからなっている。そして、各隔壁１２の下面が略同一平面上に位置して前記本体部１１の下面１１ａを構成し、天板１４の上面が前記本体部１１の上面１１ｂを構成している。
【００１７】
前記各隔壁１２は、平面視で本体部１１の幅方向に延びる長方形状をなしており、その長手方向の両端面は、前記天板１４における本体部１１の幅方向の両端面と略同一平面上に位置している。そして、これらの端面が本体部１１の幅方向の端面を構成している。また、隔壁１２は、本体部１１の長手方向に等間隔で配列されており、各隔壁１２の間に、本体部１１を幅方向と平行な方向に貫通する通気路１３が形成されている。換言すれば、本体部１１の下面１１ａには、幅方向に延びる溝が等間隔で形成されていて、これらの溝によって本体部１１の長手方向に並ぶ複数の通気路１３が構成されている。
【００１８】
また、前記本体部１１には、当該本体部１１を上下方向に貫通する窓１５が本体部１１の長手方向に沿って所定ピッチで設けられている。この窓１５は、基礎２の上面に突設されたアンカーボルト（図示せず）と本体部１１との干渉を回避するために当該アンカーボルトを挿通するためのものであり、平面視で本体部１１の長手方向に沿って複数の通気路１３を跨って延びる長方形状をなしている。すなわち、隔壁１２は、窓１５が存する領域では当該窓１５によって本体部１１の幅方向に分割されており、通気路１３は、窓１５内では隣接する通気路１３と連通している。
【００１９】
前記堰部１８は、上下方向に扁平な長方形状の断面形状で、前記本体部１１の略全長に亘って当該本体部１１の長手方向に連続して延びている。この堰部１８は、本体部１１における幅方向の端面の下端部、換言すれば各隔壁１２の長手方向外側の端面の下端部に連設されており、堰部１８の下面１８ａは、本体部１１の下面１１ａと略同一平面上に位置している。また、堰部１８の厚みは、本体部１１の幅方向外側から通気路１３内への空気の流入が良好に確保される程度に薄く設定されている。
【００２０】
次に、このように構成された土台用スペーサ１Ａを、図２に示すように外側面２ａがモルタル仕上げされる基礎２と土台３との間に介在させ、その後に基礎２の外側面２ａをモルタル仕上げする方法を説明する。
【００２１】
まず、土台用スペーサ１Ａの堰部１８の下面１８ａが基礎２の外側面２ａよりも外側に張り出すように本体部１１の下面１１ａを基礎２の上に載置して、土台用スペーサ１Ａを基礎２の上に配設する。このとき、通気路１３は、下方の開口が基礎２の上面で塞がれて、基礎２の上面に沿って建造物の床下空間と外側空間とを連通する連通路となり、通気路１３を通じた空気の流通によって建造物の床下が換気されるようになる。
【００２２】
次いで、土台用スペーサ１Ａの本体部１１の上面１１ｂに土台３を載置する。その後に、土台３に柱７を立てる等して建方を行うとともに、外装工事を行い、柱７や土台３に外壁５や水切り板６を取り付ける。前記水切り板６は、外壁５の下端部に設けられて、土台用スペーサ１Ａ及び基礎２の上端部を建造物の外側から覆うものである。
【００２３】
その後に、基礎２の外側面２ａにおける土台用スペーサ１Ａの堰部１８の下面１８ａに臨む領域にモルタル４を塗布する。このとき、土台用スペーサ１Ａ及び基礎２の上端部は外側から水切り板６で覆われているため、基礎２の上端部を目視しながら作業することは難しいが、土台用スペーサ１Ａを堰部１８の下面１８ａが基礎２の外側面２ａよりも外側に張り出すように基礎２の上に配設しているので、モルタル４が基礎２から上方にはみ出すことを堰部１８の下面１８ａによって防止することができ、これにより、土台用スペーサ１Ａの本体部１１に設けられた通気路１３がモルタル４で塞がれるのを防ぐことができる。
【００２４】
なお、基礎２の外側面２ａにモルタル４を塗布する際に、堰部１８の下面１８ａが基礎２の外側面２ａから張り出す張り出し量よりも小さな厚みでモルタル４を塗布するようにすれば、堰部１８の下面１８ａにコテを当てながら当該下面１８ａに沿ってコテを動かすことができるため、モルタル仕上げの作業性を向上させることができる。
【００２５】
また、前記堰部１８には、図３に示す本発明の実施形態に係る土台用スペーサ１Ｂのように、本体部１１の幅方向に延びる切断溝１８ｄが本体部１１の長手方向に沿って所定ピッチで形成されていてもよい。このようにすれば、例えば２つの土台用スペーサ１Ｂを平面視でＬ字状またはＴ字状に配置する場合に、堰部１８の一部分を所定の切断溝１８ｄに沿って切断することで簡単に取り除くことができ、これにより双方の土台用スペーサ１Ｂの本体部１１同士を容易に当接させることができる。
【００２６】
さらには、前記堰部１８は、図４に示す変形例の土台用スペーサ１Ｃのように、本体部１１から離間した位置にあって、本体部１１とアーム１２ａによって連結されていてもかまわない。前記アーム１２ａは、所定間隔おきに隔壁１２に連設されていて、正面視で下辺が略水平な略直角三角形状をなしており、このアーム１２ａの下辺の先端に堰部１８が連設されている。ただし、図１に示す土台用スペーサ１Ａのように堰部１８が本体部１１の下端部に連設されていれば、簡単な形状とすることができる。
【００２７】
また、前記土台用スペーサ１Ａ〜１Ｃでは、通気路１３が本体部１１の下面１１ａに形成された溝で構成されているが、通気路１３は、例えば図５に示すように、本体部１１の幅方向に延びる貫通孔で構成されていてもよい。この場合には、堰部１８は本体部１１の長手方向に連続していなくても、例えば各通気路１３の少なくとも一部に重なり合う領域に存するように、通気路１３の下方に位置する底壁１７等を利用して断続的に本体部１１の長手方向に延びていてもよい。ただし、前記土台用スペーサ１Ａ〜１Ｃのように、堰部１８が本体部１１の長手方向に連続しているか、あるいは堰部１８の少なくとも本体部１１側の端部が本体部１１の長手方向に連続していれば、通気路１３が下方に開口する溝で構成されていて、本体部１１における幅方向の端部の下端部が本体部１１の長手方向に非連続となっていても、当該下端部に堰部１８を簡単に連設することができる。
【００２８】
次に、図６〜図９を参照して、本発明の他の基本構成の土台用スペーサ１Ｄを説明する。
【００２９】
この土台用スペーサ１Ｄでは、本体部１１と堰部１８とが別々に成形されており、堰部１８が本体部１１に対して着脱可能となっている。
【００３０】
具体的には、本体部１１の隔壁１２の長さが天板１４の幅よりも大きく設定されており、隔壁１２が天板１４から本体部１１の幅方向両側に張り出している。そして、隔壁１２が天板１４から張り出した領域における各隔壁１２の間には、隣り合う隔壁１２の下部同士を連結する連結部１６が設けられている。
【００３１】
前記連結部１６は、図９に示すように、正面視で本体部１１の幅方向外側に向かって先細りとなる断面形状となっている。
【００３２】
前記堰部１８は、本体部１１と略同一の長さを有する板状をなしている。この堰部１８の本体部側の端部には、下方に開口し、上方から連結部１６に係合するフック１８ｂが適所に設けられている。また、フック１８ｂの両脇には、フック１８ｂが係合した連結部１６を下方から押さえ込む押え片１８ｃが設けられている。この押え片１８ｃは、正面視で上方に凸となる略へ字状をなしているとともに、上下方向に弾性変形可能となっている。
【００３３】
そして、堰部１８を本体部１１に装着するときには、押え片１８ｃを連結部１６に下方から押し当てて、押え片１８ｃを下方に弾性変形させながら、堰部１８を本体部１１に押し付けることにより、フック１８ｂと押え片１８ｃの間に連結部１６が押し込まれて、フック１８ｂが連結部１６に係合する。フック部１８ｂが連結部１６に係合したときには、押え片１８ｃがその復元力により元の位置に復帰して、連結部１６がフック１８ｂと押え片１８ｃとで挟み込まれるようになる。このとき、堰部１８の下面１８ａは、本体部１１の下面１１ａと略同一平面上に位置する。なお、堰部１８を本体部１１から取り外すには、前記操作と逆の操作をすればよい。
【００３４】
この構成によれば、モルタル仕上げされる基礎２の上に載置される土台用スペーサ１Ｄにだけ堰部１８を取り付けておくようにして、それ以外の土台用スペーサ１Ｄでは堰部１８を省略するといったことができるため、その堰部１８の省略分だけ材料を節約することができる。
【００３５】
なお、前記実施形態においては、通気路１３が本体部１１を幅方向と平行な方向に貫通しているが、通気路１３は本体部１１を幅方向に対して若干傾斜する方向に貫通していてもよい。
【００３６】
また、堰部１８は、必ずしも本体部１１の幅方向両側に設けられている必要はなく、本体部１１の幅方向両側の少なくとも一方に設けられていればよい。
【００３７】
さらには、堰部１８をモルタル４よりも外側に張り出す幅寸法とするとともに、その先端部を下方に屈曲させておけば、堰部１８を利用して土台用スペーサ１Ａ〜１Ｄに蟻返しの機能を付加することも可能である。
【図面の簡単な説明】
【００３８】
【図１】本発明の基本構成の土台用スペーサを示す図であり、（ａ）は斜視図、（ｂ）は（ａ）のＩ−Ｉ線断面図である。
【図２】前記土台用スペーサを基礎と土台との間に介在させたときの断面図である。
【図３】本発明に用いられる土台用スペーサの斜視図である。
【図４】本発明の他の基本構成の土台用スペーサの斜視図である。
【図５】本発明の他の基本構成の土台用スペーサの要部拡大斜視図である。
【図６】本発明の他の基本構成の土台用スペーサの分解平面図である。
【図７】前記土台用スペーサの本体部の斜視図である。
【図８】前記土台用スペーサの堰部の要部拡大斜視図である。
【図９】前記土台用スペーサの要部拡大断面図である。
【符号の説明】
【００３９】
１Ａ〜１Ｄ  土台用スペーサ
１１  本体部
１１ａ  下面
１１ｂ  上面
１３  通気路
１８  堰部
１８ａ  下面
１８ｄ  切断溝
２    基礎
２ａ  外側面
３    土台
４    モルタル
【図１】
0004810188.tif 000002
【図２】
0004810188.tif 000003
【図３】
0004810188.tif 000004
【図４】
0004810188.tif 000005
【図５】
0004810188.tif 000006
【図６】
0004810188.tif 000007
【図７】
0004810188.tif 000008
【図８】
0004810188.tif 000009
【図９】
0004810188.tif 000010